(57)【特許請求の範囲】
【請求項１】
記録ヘッドに対向して記録装置に設けられる搬送装置であって、
被記録媒体を搬送する搬送ベルトと、
前記搬送ベルトを介して前記被記録媒体を吸引する吸引部と
を備え、
前記吸引部は、前記搬送ベルトを介して前記被記録媒体を支持するガイド部材を含み、
前記ガイド部材には複数の貫通孔が形成されており、
前記貫通孔の各々は、前記ガイド部材の搬送ベルト側の面に形成された溝内に設けられており、
前記溝は、前記被記録媒体の搬送方向に交差する方向に長い第１溝と、前記被記録媒体の搬送方向に長い第２溝とを含み、
前記第１溝が、前記ガイド部材のうち、前記被記録媒体の搬送方向に直交する方向の両端部に形成され、
前記第２溝が、前記ガイド部材のうち、前記被記録媒体の搬送方向に直交する方向の中央部に形成される、搬送装置。
【請求項２】
前記搬送ベルトは複数の吸引孔を有する、請求項１に記載の搬送装置。
【請求項３】
前記吸引孔は、第１吸引孔と、第２吸引孔とを含み、
前記第１吸引孔は、前記ガイド部材の両端部に対向する前記搬送ベルトの両端部に形成され、
前記第２吸引孔は、前記ガイド部材の中央部に対向する前記搬送ベルトの中央部に形成され、
前記第１吸引孔の面積が、前記第２吸引孔の面積に比べて大きい、請求項２に記載の搬送装置。
【請求項４】
前記吸引孔は、第１吸引孔と、第２吸引孔とを含み、
前記第１吸引孔は、前記ガイド部材の両端部に対向する前記搬送ベルトの両端部に形成され、
前記第２吸引孔は、前記ガイド部材の中央部に対向する前記搬送ベルトの中央部に形成され、
前記搬送ベルトの両端部における前記第１吸引孔の密度が、前記搬送ベルトの中央部における前記第２吸引孔の密度に比べて大きい、請求項２に記載の搬送装置。
【請求項５】
前記搬送ベルトの両端部における前記第１吸引孔の密度が、前記搬送ベルトの中央部における前記第２吸引孔の密度に比べて大きい、請求項３に記載の搬送装置。
【請求項６】
前記吸引孔の少なくとも一部が、前記被記録媒体の搬送方向に直交する方向の前記被記録媒体の端に対応して配置される、請求項２〜５のいずれか１項に記載の搬送装置。
【請求項７】
前記貫通孔の一部が、前記被記録媒体の搬送方向に直交する方向の前記被記録媒体の端に対応して形成される、請求項１〜６のいずれか１項に記載の搬送装置。
【請求項８】
前記第１溝は、前記被記録媒体の搬送方向の上流側の領域に形成される、請求項１〜７のいずれか１項に記載の搬送装置。
【請求項９】
前記記録ヘッドの搬送ベルト側の面は、ノズル孔が形成された吐出領域を含み、
前記貫通孔は、前記吐出領域に対向するノズル対向領域の外側に形成される、請求項１〜８のいずれか１項に記載の搬送装置。
【請求項１０】
前記記録ヘッドの搬送ベルト側の面は、ノズル孔が形成された吐出領域を含み、
前記溝は、前記吐出領域に対向するノズル対向領域の外側に形成される、請求項１〜８のいずれか１項に記載の搬送装置。
【請求項１１】
請求項１〜１０のいずれか１項に記載の搬送装置と、
前記記録ヘッドと
を備え、
前記記録ヘッドは、インク滴を吐出するインクジェットヘッドを含む、インクジェット記録装置。
【発明の詳細な説明】
【技術分野】
【０００１】
本発明は、記録装置に装備される搬送装置、及びその搬送装置を備えるインクジェット記録装置に関する。
【背景技術】
【０００２】
記録装置の一種として、インクジェット記録装置が知られている。インクジェット記録装置は、小型で安価、動作音が静粛等の理由により、プリンター、複写機、複合機等に広く用いられている。インクジェット記録装置は、ラインヘッド方式とシリアルヘッド方式とに大別される。
【０００３】
ラインヘッド方式のインクジェット記録装置では、一般的に、搬送ベルトを備えた搬送装置が使用される。搬送装置は、インクジェットヘッドに対向して配置され、被記録媒体を搬送ベルトに吸着させて搬送する。被記録媒体の吸着には、静電気又は負圧が用いられる。
【０００４】
負圧を発生させる搬送装置は、搬送ベルトを介して被記録媒体を吸引する吸引部を備え、搬送ベルトには、複数の吸引孔が穿孔される。また、吸引部は、搬送ベルトを介して被記録媒体を支持するガイド部材を含む。ガイド部材の搬送ベルト側の面には複数の溝が形成され、各溝内に、ガイド部材をその厚さ方向に貫通する貫通孔が形成される。吸引部は、負圧を発生させて、搬送ベルトの吸引孔、並びにガイド部材の溝及び貫通孔を通じて空気を吸引する。これにより、搬送ベルト上に被記録媒体が吸着される。
【０００５】
しかし、斯かる構成の搬送装置には、被記録媒体を吸引する吸引力が不足して、被記録媒体が浮くという問題がある。被記録媒体がインクジェットヘッド下で浮くと、インクジェットヘッドと被記録媒体との間の距離が変化するため画像に乱れが生じる。また、インクジェットヘッド下で用紙詰まり（ジャム）が発生することがある。被記録媒体の浮きは、特に、被記録媒体の端に発生し易い。ここで、被記録媒体の端は、被記録媒体の搬送方向に直交する方向の端である。
【０００６】
斯かる問題に対して、特許文献１には、搬送ベルトの両端部に設ける吸引孔の数密度を、搬送ベルトの中央部に設ける吸引孔の数密度に比べて大きくすることが提案されている。搬送ベルトの両端部は、被記録媒体の端が通過する領域であり、搬送ベルトの中央部は、搬送ベルトの両端部に挟まれた領域である。これにより、被記録媒体の端の浮きを抑制することができる。
【先行技術文献】
【特許文献】
【０００７】
【特許文献１】特開２０１１−２３０４６３号公報
【発明の概要】
【発明が解決しようとする課題】
【０００８】
しかしながら、特許文献１に記載の装置では、搬送ベルトが蛇行した場合に、搬送ベルトの吸引孔がガイド部材の溝から外れて、被記録媒体が浮く虞がある。これは、搬送ベルトの吸引孔がガイド部材の溝から外れると、被記録媒体に作用する吸引力が低下することに起因する。
【０００９】
本発明は、上記問題に鑑みてなされたものであり、被記録媒体の浮きを抑制できる搬送装置、及びインクジェット記録装置を提供することを目的とする。
【課題を解決するための手段】
【００１０】
本発明の一局面に係る搬送装置は、記録装置に、記録ヘッドに対向して設けられる。当該搬送装置は、被記録媒体を搬送する搬送ベルトと、前記搬送ベルトを介して前記被記録媒体を吸引する吸引部とを備える。前記吸引部は、前記搬送ベルトを介して前記被記録媒体を支持するガイド部材を含む。前記ガイド部材には複数の貫通孔が形成されており、前記貫通孔の各々は、前記ガイド部材の搬送ベルト側の面に形成された溝内に設けられている。前記溝は、前記被記録媒体の搬送方向に交差する方向に長い第１溝を含む。
【００１１】
本発明の一局面に係るインクジェット記録装置は、記録ヘッドと、上記の搬送装置とを備え、前記記録ヘッドは、インク滴を吐出するインクジェットヘッドを含む。
【発明の効果】
【００１２】
本発明によれば、ガイド部材が、被記録媒体の搬送方向に交差する方向に長い溝（第１溝）を含む。このため、搬送ベルトが蛇行しても、搬送ベルトの吸引孔がガイド部材の溝から外れ難い。よって、被記録媒体に作用する吸引力が低下し難くなり、被記録媒体の浮きを抑制できる。
【図面の簡単な説明】
【００１３】
【図１】本発明の第１実施形態に係る搬送装置を備えたインクジェット記録装置の概略構成を示す図である。
【図２】本発明の第１実施形態に係るガイド部材を示す平面図である。
【図３】本発明の第１実施形態に係るガイド部材を示す一部拡大断面図である。
【図４】本発明の第１実施形態に係る搬送ベルトを示す平面図である。
【図５】本発明の第１実施形態に係る第１溝の効果を説明するための図である。
【図６】本発明の第１実施形態に係るガイド部材の変形例を示す平面図である。
【図７】本発明の第１実施形態に係るガイド部材の他の変形例を示す平面図である。
【図８】本発明の第１実施形態に係る搬送ベルトの変形例を示す平面図である。
【図９】本発明の第１実施形態に係る搬送ベルトの他の変形例を示す一部拡大平面図である。
【図１０】本発明の第２実施形態に係るガイド部材を示す平面図である。
【発明を実施するための形態】
【００１４】
以下、図面を参照して本発明の実施形態を説明する。ただし、図中、同一または相当部分については同一の参照符号を付して説明を繰り返さない。図面は、理解しやすくするために、それぞれの構成要素を主体に模式的に示しており、図示された各構成要素の厚み、長さ、個数等は、図面作成の都合上から実際とは異なる。また、以下の各実施形態で示す各構成要素の材質や形状、寸法等は、一例であって特に限定されるものではない。
【００１５】
（第１実施形態）
［インクジェット記録装置１の基本構成］
図１は本発明の第１実施形態に係る搬送装置３１０を備えたインクジェット記録装置１の概略構成を示す図である。
【００１６】
インクジェット記録装置（記録装置の一例）１は、装置筐体１００と、装置筐体１００の内部の下方に配置された給紙部２００と、給紙部２００の上方に配置されたインクジェット記録方式の画像形成部３００と、画像形成部３００の一側方に配置された用紙搬送部４００と、画像形成部３００の他側方に配置された用紙排出部５００とを備える。
【００１７】
給紙部２００は、装置筐体１００に着脱自在の給紙カセット２０１と、給紙ローラー２０２と、ガイド板２０３とを備える。給紙ローラー２０２は給紙カセット２０１の一端側の上方に配置される。ガイド板２０３は給紙ローラー２０２と用紙搬送部４００との間に配置される。
【００１８】
給紙カセット２０１内には、複数枚の記録用紙（被記録媒体の一例）Ｐが積み重ねられた状態で収納される。以下、「記録用紙」は、単に「用紙」と記載される。給紙ローラー（ピックアップコロ）２０２は、用紙Ｐの搬送方向に沿って用紙Ｐを送る送り部材であり、給紙カセット２０１内の用紙Ｐを一枚ずつ取り出す。ガイド板２０３は、給紙ローラー２０２が取り出した用紙Ｐを用紙搬送部４００に案内する。
【００１９】
用紙搬送部４００は、略Ｃ字形の用紙搬送路４０１と、用紙搬送路４０１の入口側に設けられた第１搬送ローラー対（１次給紙コロ対）４０２と、用紙搬送路４０１の途中に設けられた第２搬送ローラー対（２次給紙コロ対）４０３と、用紙搬送路４０１の出口側に設けられたレジストローラー対４０４とを備える。用紙搬送路４０１は、用紙Ｐの搬送路（被記録媒体搬送路の一例）の一部を構成する。
【００２０】
第１搬送ローラー対４０２は、用紙Ｐの搬送方向に沿って用紙Ｐを送る送り部材であり、給紙部２００から給紙される用紙Ｐを挟んで用紙搬送路４０１に送出する。第２搬送ローラー対４０３も送り部材である。第２搬送ローラー対４０３は、第１搬送ローラー対４０２が送出した用紙Ｐを挟んで用紙搬送方向に搬送する。
【００２１】
レジストローラー対４０４は、第２搬送ローラー対４０３によって搬送されてきた用紙Ｐの斜行補正を行う。そして、レジストローラー対４０４は、用紙Ｐへの画像形成のタイミングと用紙Ｐの搬送とを同期させるために用紙Ｐを一時待機させた後、用紙Ｐを画像形成タイミングに合わせて画像形成部３００に送出する。
【００２２】
画像形成部３００は、搬送装置３１０と、搬送装置３１０の上方に配置された４種類のインクジェットヘッド（記録ヘッドの一例）３４０ａ、３４０ｂ、３４０ｃ、及び３４０ｄと、搬送装置３１０に対して用紙Ｐの搬送方向の下流側に配置された搬送ガイド３５０とを備える。図示しないが、４種類のインクジェットヘッド３４０ａ、３４０ｂ、３４０ｃ、及び３４０ｄにはそれぞれ、複数のノズルが設けられている。複数のノズルからインク滴が吐出されて、用紙Ｐに文字、図等の画像が形成される。なお、画像形成部３００は、乾燥装置を備えてもよい。乾燥装置は、インクジェットヘッド３４０ａ、３４０ｂ、３４０ｃ、及び３４０ｄから用紙Ｐへ向けて吐出されたインク滴を乾燥させる。
【００２３】
搬送装置３１０は、ベルト速度検知ローラー３１１と、吸着ローラー３１２と、駆動ローラー３１３と、テンションローラー３１４と、一対のガイドローラー３１５と、無端状の搬送ベルト３２０と、吸引部３３０とを備える。搬送装置３１０は、装置筐体１００内において、４種類のインクジェットヘッド３４０ａ、３４０ｂ、３４０ｃ、及び３４０ｄに対向して配置される。搬送ベルト３２０は、ベルト速度検知ローラー３１１、駆動ローラー３１３、テンションローラー３１４及び一対のガイドローラー３１５の間に張設されている。搬送ベルト３２０は、用紙Ｐの搬送方向に駆動されて、用紙Ｐを搬送する。
【００２４】
搬送ベルト３２０の材料には、例えば、ポリイミド（ＰＩ）、ポリアミドイミド（ＰＡＩ）、ポリフッ化ビニリデン（ＰＶＤＦ）、又はポリカーボネイト（ＰＣ）が使用される。好適には、搬送ベルト３２０の厚みムラを軽減できることから、ポリイミド又はポリアミドイミドが使用される。また、搬送ベルト３２０の裏面側（吸引部３３０側）に、エチレンプロピレンジエンゴム（ＥＰＤＭ）等のゴム材からなる層が形成されていてもよい。搬送ベルト３２０の厚みは、例えば、１００μｍである。
【００２５】
テンションローラー３１４は、搬送ベルト３２０が撓まないように、搬送ベルト３２０に張力を与える。搬送装置３１０は、搬送ベルト３２０が蛇行した際に、その蛇行に応じてテンションローラー３１４の軸心の方向を変化させる機構を含んでもよい。斯かる機構により、搬送ベルト３２０の蛇行が補正される。
【００２６】
ベルト速度検知ローラー３１１は、吸引部３３０に対して用紙Ｐの搬送方向の上流側に配置され、搬送ベルト３２０との間に発生する摩擦によって回転する。ベルト速度検知ローラー３１１はパルス板（図示せず）を含み、パルス板は、ベルト速度検知ローラー３１１と一体になって回転する。パルス板の回転速度を測定することにより、搬送ベルト３２０の回転速度が検知される。したがって、搬送ベルト３２０の回転速度に速度ムラが発生した場合に、駆動ローラー３１３の回転数を制御して、速度ムラを補正することが可能となる。
【００２７】
駆動ローラー３１３は、吸引部３３０に対して用紙Ｐの搬送方向の下流側に配置される。好適には、駆動ローラー３１３は、ベルト速度検知ローラー３１１と共に搬送ベルト３２０の平面性を維持できるように配置される。また、斯かる配置により、搬送ベルト３２０の蛇行補正が行われる際にも、搬送ベルト３２０の平面性が維持される。
【００２８】
駆動ローラー３１３はモーター（図示せず）によって回転駆動され、搬送ベルト３２０との間に発生する摩擦により、図１の紙面において反時計回りの方向に搬送ベルト３２０を回転させる。駆動ローラー３１３の直径は、例えば、３０．０ｍｍである。
【００２９】
搬送ベルト３２０の速度ムラ補正（駆動ローラー３１３の回転数補正）が実施される場合、駆動ローラー３１３の慣性モーメントは小さい方が好ましい。即ち、駆動ローラー３１３は軽い方が好ましい。したがって、本実施形態では、駆動ローラー３１３として、例えばアルミパイプや三ツ矢管のような中空管が好適に使用される。なお、搬送ベルト３２０の速度ムラ補正が実施されない場合は、フライホイール効果によって駆動ローラー３１３の回転を安定させるために、駆動ローラー３１３の慣性モーメントは大きい方が好ましい。即ち、駆動ローラー３１３は重い方が好ましく、駆動ローラー３１３の材料として中実の金属材が好適に使用される。
【００３０】
搬送ベルト３２０が、ポリイミド等の樹脂材からなる場合、駆動ローラー３１３の表面層は、エチレンプロピレンジエンゴム（ＥＰＤＭ）、ウレタンゴム、又はニトリルゴム等のゴム材で構成される。画像形成部３００が水系インクを用いて用紙Ｐに画像を形成する場合、ゴム材の膨潤を防ぐために、駆動ローラー３１３の表面層の材料としてＥＰＤＭが使用されることが好ましい。ゴム材からなる表面層の厚みは、例えば、１．０ｍｍである。また、搬送ベルト３２０の裏面側に、ＥＰＤＭ等のゴム材からなる層が形成されている場合、駆動ローラー３１３の表面層は、金属で構成されていてもよい。駆動ローラー３１３の表面層がアルミニウムからなる場合は、摩耗防止のために、駆動ローラー３１３の表面にアルマイト処理が施されていてもよい。
【００３１】
一対のガイドローラー３１５は、吸引部３３０よりも下方に配置され、吸引部３３０下方の空間を維持する。斯かる配置により、吸引部３３０下方における搬送ベルト３２０と吸引部３３０との接触を防止できる。また、一対のガイドローラー３１５のうち、駆動ローラー３１３に近いガイドローラー３１５は、駆動ローラー３１３に対する搬送ベルト３２０の巻き掛け量を維持する。一対のガイドローラー３１５のうち、テンションローラー３１４に近いガイドローラー３１５は、蛇行補正が安定して実施できるように、テンションローラー３１４に対する搬送ベルト３２０の巻き掛け量を維持する。
【００３２】
４種類のインクジェットヘッド３４０ａ、３４０ｂ、３４０ｃ、及び３４０ｄは、用紙Ｐの搬送方向の上流側から下流側に向けて並設される。インクジェットヘッド３４０ａ、３４０ｂ、３４０ｃ、及び３４０ｄの各々は、搬送ベルト３２０の幅方向（用紙Ｐの搬送方向に直交する方向）に配列された複数のノズル（図示せず）を備えている。インクジェットヘッド３４０ａ、３４０ｂ、３４０ｃ、及び３４０ｄはライン型と称される。即ち、インクジェット記録装置１は、ラインヘッド方式のインクジェット記録装置である。
【００３３】
ここで、一般的なラインヘッド方式のインクジェット記録装置について説明する。ラインヘッド方式のインクジェット記録装置は、１色のインク滴を被記録媒体へ向けて吐出するために、被記録媒体の幅以上の長さを有するインクジェットヘッドを単体で備えるか、又は、被記録媒体の搬送方向に直交する方向（被記録媒体の幅方向）に沿って配置される複数個のインクジェットヘッドを備える。複数色のインク滴を吐出するインクジェット記録装置では、各色に対応する単体のインクジェットヘッド又は複数個のインクジェットヘッドの組みが、被記録媒体の搬送方向に沿って並べられる。インクジェットヘッドは固定されており、インクジェットヘッドの下方を被記録媒体が搬送される。搬送される被記録媒体へ向けて、インクジェットヘッドからインク滴が吐出されることにより、被記録媒体に画像が形成される。なお、シリアルヘッド方式のインクジェット記録装置では、被記録媒体の搬送が被記録媒体搬送路の途中で停止し、停止した被記録媒体へ向けて、インクジェットヘッドが動きながらインク滴を吐出する。
【００３４】
第１実施形態に係るインクジェット記録装置１の説明に戻る。インクジェットヘッド３４０ａの複数のノズルの各々は、インクジェットヘッド３４０ａ内に形成された加圧室(図示せず)に連通している。加圧室はインクジェットヘッド３４０ａ内に形成されたインク液室(図示せず)に連通している。そして、インク液室はインク供給チューブ(図示せず)を介してブラック（Ｂｋ）のインクタンク（図示せず）に連通接続されている。
【００３５】
インクジェットヘッド３４０ｂの複数のノズルの各々は、インクジェットヘッド３４０ｂ内に形成された加圧室(図示せず)に連通している。加圧室はインクジェットヘッド３４０ｂ内に形成されたインク液室(図示せず)に連通している。そして、インク液室はインク供給チューブ(図示せず)を介してシアン（Ｃ）のインクタンク（図示せず）に連通接続されている。
【００３６】
インクジェットヘッド３４０ｃの複数のノズルの各々は、インクジェットヘッド３４０ｃ内に形成された加圧室(図示せず)に連通している。加圧室はインクジェットヘッド３４０ｃ内に形成されたインク液室(図示せず)に連通している。そして、インク液室はインク供給チューブ(図示せず)を介してマゼンタ（Ｍ）のインクタンク（図示せず）に連通接続されている。
【００３７】
インクジェットヘッド３４０ｄの複数のノズルの各々は、インクジェットヘッド３４０ｄ内に形成された加圧室(図示せず)に連通している。加圧室はインクジェットヘッド３４０ｄ内に形成されたインク液室(図示せず)に連通している。そして、インク液室はインク供給チューブ(図示せず)を介してイエロー（Ｙ）のインクタンク（図示せず）に連通接続されている。
【００３８】
吸引部３３０は、搬送ベルト３２０を介して４種類のインクジェットヘッド３４０ａ、３４０ｂ、３４０ｃ、及び３４０ｄと対向するように搬送ベルト３２０の裏面側に配置される。吸引部３３０は、空気流通室（気体流通室の一例）３３１と、空気流通室３３１の上面開口を覆うガイド部材３３２と、吸引装置３３６とを備える。ガイド部材３３２は、搬送ベルト３２０を介して用紙Ｐを支持する。
【００３９】
吸着ローラー３１２は従動ローラーである。吸着ローラー３１２は、搬送ベルト３２０を介してガイド部材３３２に対向し、レジストローラー対４０４から送出された用紙Ｐを搬送ベルト３２０上へ誘導して、搬送ベルト３２０に吸着させる。
【００４０】
吸着ローラー３１２の慣性モーメントは、用紙Ｐが吸着ローラー３１２に衝突することにより発生する衝突振動を緩和するために、小さい方が好ましい。即ち、吸着ローラー３１２は軽い方が好ましい。例えば、吸着ローラー３１２として、アルミパイプや三ツ矢管のような中空管が好適に使用される。吸着ローラー３１２がアルミニウムからなる場合は、摩耗防止のために、吸着ローラー３１２の表面にアルマイト処理が施されていてもよい。
【００４１】
本実施形態では、吸着ローラー３１２を搬送ベルト３２０側（ガイド部材３３２側）へ押圧する押圧力が吸着ローラー３１２に付与されている。これにより、レジストローラー対４０４による用紙Ｐの搬送速度と搬送ベルト３２０の回転速度との間に差が生じている場合でも、レジストローラー対４０４と吸着ローラー３１２との間で用紙Ｐを撓ませて、用紙Ｐの搬送ベルト３２０への密着開始位置を、吸着ローラー３１２が配置された位置に対応させることができる。
【００４２】
吸引装置３３６は、例えばファンである。但し、吸引装置３３６はファンに限定されるものではなく、例えば真空ポンプであってもよい。吸引装置３３６が駆動することにより、吸引部３３０が搬送ベルト３２０を介して用紙Ｐを吸引する。
【００４３】
搬送ガイド３５０は、搬送ベルト３２０から排出される用紙Ｐを用紙排出部５００に案内する。用紙排出部５００は、排出ローラー対５０１と、排出トレイ５０２とを備える。排出トレイ５０２は、装置筐体１００に形成された排出口１０１から外部に突出するように装置筐体１００に固定されている。
【００４４】
搬送ガイド３５０を通過した用紙Ｐは、排出ローラー対５０１によって排出口１０１の方向に送出され、排出トレイ５０２に案内されて排出口１０１を介して装置筐体１００の外部に排出される。
【００４５】
空気流通室３３１は、上面が開口した有底筒状の箱形部材によって形成されている。吸引装置３３６は、空気流通室３３１の下方に配置される。空気流通室３３１を形成する箱形部材の底壁には、吸引装置３３６に対応して排気口（図示せず）が形成されている。吸引装置３３６は電源（図示せず）に接続されている。吸引装置３３６が駆動することにより、空気流通室３３１内に負圧が発生する。この負圧により、搬送ベルト３２０を介して用紙Ｐが吸引される。
【００４６】
図２は、ガイド部材３３２を示す平面図であり、４種類のインクジェットヘッド３４０ａ、３４０ｂ、３４０ｃ、及び３４０ｄとガイド部材３３２との位置関係を示している。なお、図２では、理解し易くするために、搬送ベルト３２０は図示していない。
【００４７】
図２に示すように、ブラック（Ｂｋ）用のインクジェットヘッド３４０ａは、３個のインクジェットヘッド３４１を含む。３個のインクジェットヘッド３４１は、ガイド部材３３２の幅方向（用紙搬送方向に直交する方向）に沿って千鳥足状（千鳥状）に配置される。
【００４８】
シアン（Ｃ）用のインクジェットヘッド３４０ｂは、３個のインクジェットヘッド３４２を含む。３個のインクジェットヘッド３４２は、ガイド部材３３２の幅方向に沿って千鳥足状に配置される。
【００４９】
マゼンタ（Ｍ）用のインクジェットヘッド３４０ｃは、３個のインクジェットヘッド３４３を含む。３個のインクジェットヘッド３４３は、ガイド部材３３２の幅方向に沿って千鳥足状に配置される。
【００５０】
イエロー（Ｙ）用のインクジェットヘッド３４０ｄは、３個のインクジェットヘッド３４４を含む。３個のインクジェットヘッド３４４は、ガイド部材３３２の幅方向に沿って千鳥足状に配置される。
【００５１】
ガイド部材３３２の表面（搬送ベルト３２０側の面）３３３には、複数の溝３３４が形成されている。複数の溝３３４は、用紙搬送方向に直交する方向に延びる長円状の第１溝３３４ａと、用紙搬送方向に延びる長円状の第２溝３３４ｂとを含む。図３はガイド部材３３２を示す一部拡大断面図である。図２及び図３に示すように、複数の溝３３４の各々に対応して、ガイド部材３３２をその厚さ方向に貫通する貫通孔３３５が形成されている。貫通孔３３５の断面は円形状である。
【００５２】
図４は、搬送ベルト３２０を示す平面図である。図４に示すように、搬送ベルト３２０には複数の吸引孔３２１が穿孔されている。吸引孔３２１は千鳥掛け状（千鳥状）に配置される。
【００５３】
空気流通室３３１（図１参照）は、ガイド部材３３２の貫通孔３３５（図２参照）及び溝３３４を介して、搬送ベルト３２０の吸引孔３２１（図４参照）に連通する。
【００５４】
［インクジェット記録装置１の動作］
次に、図１を参照して、インクジェット記録装置１の動作について説明する。給紙ローラー２０２は、給紙カセット２０１から用紙Ｐを取り出す。取り出された用紙Ｐは、ガイド板２０３によって第１搬送ローラー対４０２に導かれる。複数枚の用紙Ｐが、給紙カセット２０１に積み重ねられた状態で収容されている場合、給紙ローラー２０２は、最上部の用紙Ｐを給紙カセット２０１から取り出す。
【００５５】
用紙Ｐは第１搬送ローラー対４０２によって用紙搬送路４０１内に送出され、第２搬送ローラー対４０３によって用紙搬送方向に搬送される。そして、用紙Ｐはレジストローラー対４０４に当接して停止し、斜行補正が行われる。そして、画像形成タイミングに合わせて用紙Ｐが画像形成部３００に送出される。
【００５６】
用紙Ｐは吸着ローラー３１２によって搬送ベルト３２０上に導かれ、搬送ベルト３２０に吸着される。好適には、用紙Ｐのその幅方向の中心が、搬送ベルト３２０のその幅方向の中心と一致するように、用紙Ｐが搬送ベルト３２０に導かれる。用紙Ｐは、搬送ベルト３２０に穿孔された複数の吸引孔３２１の一部または全部を覆う。吸引部３３０は、ガイド部材３３２の貫通孔３３５及び溝３３４、並びに搬送ベルト３２０の吸引孔３２１を介して空気（気体の一例）を吸引しており、空気流通室３３１には負圧が発生している。これにより、負圧が用紙Ｐに作用して、用紙Ｐが搬送ベルト３２０に吸着される。そして、用紙Ｐは、搬送ベルト３２０の進行に伴って用紙搬送方向に搬送される。
【００５７】
搬送ベルト３２０により、４種類のインクジェットヘッド３４０ａ（３４１）、３４０ｂ（３４２）、３４０ｃ（３４３）、及び３４０ｄ（３４４）の各々に対向する位置へ用紙Ｐの各部分が連続して搬送される。この間に、４種類のインクジェットヘッド３４０ａ（３４１）、３４０ｂ（３４２）、３４０ｃ（３４３）、及び３４０ｄ（３４４）の各々から各色のインク滴が用紙Ｐへ向けて吐出される。これにより、用紙Ｐに画像が形成される。
【００５８】
用紙Ｐは、搬送ベルト３２０から搬送ガイド３５０へ搬送される。搬送ガイド３５０を通過した用紙Ｐは、排出ローラー対５０１によって排出口１０１の方向に送出され、排出トレイ５０２に案内されて排出口１０１を介して装置筐体１００の外部に排出される。
【００５９】
以上説明したラインヘッド方式のインクジェット記録装置１によれば、インクジェットヘッド３４０ａ（３４１）、３４０ｂ（３４２）、３４０ｃ（３４３）、及び３４０ｄ（３４４）の下方を用紙Ｐが搬送される。よって、用紙Ｐの搬送速度を上げることで、記録速度を上げることが可能となる。例えば、インクジェット記録装置１では、用紙Ｐの搬送速度を９００ｍｍ／ｓ、印刷速度をＡ４横サイズ紙で１５０枚／分とすることが可能である。
【００６０】
［ガイド部材３３２の構成］
図２に示すように、ガイド部材３３２の表面３３３には、用紙搬送方向に交差する方向に長い複数の第１溝３３４ａが形成されており、第１溝３３４ａ内に第１貫通孔３３５ａが設けられている。第１実施形態では、第１溝３３４ａは、ガイド部材３３２の幅方向（用紙搬送方向に直交する方向）に長い長円状である。斯かる構成によれば、搬送ベルト３２０が蛇行しても、搬送ベルト３２０の吸引孔３２１がガイド部材３３２の溝３３４（第１溝３３４ａ）から外れ難くい。
【００６１】
ガイド部材の表面に、用紙搬送方向に長い溝のみが形成されている場合、搬送ベルトが蛇行した際に、搬送ベルトの吸引孔がガイド部材の溝から脱落し易い。搬送ベルトの蛇行補正が実行される場合でも、確実に補正できないとき（搬送ベルトの姿勢が所期の姿勢にならないとき）は、搬送ベルトの吸引孔がガイド部材の溝から脱落する虞がある。また、搬送ベルトの蛇行補正が実行されている間に、搬送ベルトの吸引孔がガイド部材の溝から脱落する虞がある。
【００６２】
搬送ベルトの吸引孔がガイド部材の溝から脱落すると、用紙に作用する吸引力（用紙を搬送ベルトへ吸着させる吸着力）が直ちに低下して、用紙の浮きが発生する。これに対し、第１実施形態では、搬送ベルト３２０の吸引孔３２１がガイド部材３３２の溝３３４（第１溝３３４ａ）から脱落し難いので、用紙Ｐの浮きが抑制される。
【００６３】
また、第１実施形態では、第１溝３３４ａが、ガイド部材３３２の両端部（第１端部３３７ａ及び第２端部３３７ｃ）に形成されている。ガイド部材３３２の第１端部３３７ａ及び第２端部３３７ｃは、用紙Ｐの端（用紙搬送方向に直交する方向の端）が通過する領域である。斯かる構成によれば、ガイド部材３３２の幅方向（搬送ベルト３２０の幅方向）に用紙Ｐの位置ずれが発生しても、用紙Ｐの端がガイド部材３３２の溝３３４（第１溝３３４ａ）から外れ難くい。この結果、用紙Ｐの端の浮きが抑制される。
【００６４】
ここで、図５を参照して、用紙Ｐの端の浮きが抑制される効果について説明する。図５は、ガイド部材３３２の両端部３３７ａ、３３７ｃに設けられた第１溝３３４ａの効果を説明するための図である。ここでは、ガイド部材３３２の一方の端部３３７ａに設けられた第１溝３３４ａを例に、用紙Ｐの端の浮きが抑制される効果について説明する。
【００６５】
図５（ａ）は、ガイド部材の一方の端部（端部３３７ａ）に形成された第１溝３３４ａと用紙Ｐとの位置関係を示している。図５（ｂ）は、ガイド部材の一方の端部に形成された溝６０１と用紙Ｐとの位置関係を示している。溝６０１は、用紙搬送方向に延びる長円状の溝であり、ガイド部材に形成された貫通孔６０２と連通している。溝６０１は、本実施形態の溝３３４に相当するものであり、貫通孔６０２は、本実施形態の貫通孔３３５に相当するものである。
【００６６】
図５（ｂ）に示すように、ガイド部材の端部に、用紙搬送方向に長い溝６０１のみが形成されている場合、用紙搬送方向に直交する方向に用紙Ｐの位置ずれが発生した際に、用紙Ｐの端がガイド部材の溝６０１から外れ易い。用紙Ｐの端がガイド部材の溝６０１から外れると、用紙Ｐの端が浮くことがある。これに対し、図５（ａ）に示すように、第１実施形態では、用紙搬送方向に直交する方向に用紙Ｐの位置ずれが発生しても、用紙Ｐの端がガイド部材３３２の第１溝３３４ａから外れ難くいので、用紙Ｐの端の浮きが抑制される。
【００６７】
なお、ガイド部材３３２の第１端部３３７ａ及び第２端部３３７ｃは、搬送される用紙Ｐの端に対応して設定される。ガイド部材３３２の第１端部３３７ａ及び第２端部３３７ｃを、すべての用紙に対応させて設定することができない場合は、定型紙など一般に多く流通しているサイズの用紙の端にあわせて、ガイド部材３３２の第１端部３３７ａ及び第２端部３３７ｃを設定する。
【００６８】
更に、第１実施形態では、図２に示すように、用紙搬送方向に長い複数の第２溝３３４ｂがガイド部材３３２の中央部３３７ｂに形成されており、第２溝３３４ｂ内に第２貫通孔３３５ｂが設けられている。ガイド部材３３２の中央部３３７ｂは、ガイド部材３３２の第１端部３３７ａ及び第２端部３３７ｃに挟まれた領域である。
【００６９】
第１溝３３４ａは、用紙搬送方向に直交する方向に長いため、搬送ベルト３２０と第１溝３３４ａのエッジとの間に、用紙搬送方向の摩擦が発生し易い。このため、ガイド部材３３２の表面３３３の全面に第１溝３３４ａが配置された場合、搬送速度ムラが発生する虞がある。これに対し、第１実施形態では、ガイド部材３３２の表面３３３に、用紙搬送方向に長い複数の第２溝３３４ｂが含まれるので、搬送速度ムラを抑制できる。
【００７０】
なお、第２溝３３４ｂを設ける場合、用紙Ｐの端の浮きを抑制するために、第１溝３３４ａをガイド部材３３２の第１端部３３７ａ及び第２端部３３７ｃに設け、第２溝３３４ｂをガイド部材３３２の中央部３３７ｂに設けることが好ましい。
【００７１】
搬送ベルト３２０の吸引孔３２１は、好ましくは、その少なくとも一部が用紙Ｐの端に対応して配置される。これにより、用紙Ｐの端の浮きが抑制される。例えば、ガイド部材３３２の第１端部３３７ａ及び第２端部３３７ｃに対向する吸引孔３２１の少なくとも一部が、用紙Ｐの端に対応して配置される。すべての用紙に対応させて搬送ベルト３２０の吸引孔３２１を配置することができない場合は、定型紙など一般に多く流通しているサイズの用紙の端にあわせて吸引孔３２１を配置する。
【００７２】
ガイド部材３３２の貫通孔３３５は、好ましくは、その少なくとも一部が用紙Ｐの端に対応して配置される。これにより、用紙Ｐの端の浮きが抑制される。例えば、ガイド部材３３２の第１端部３３７ａ及び第２端部３３７ｃにおいて、第１貫通孔３３５ａの少なくとも一部が、用紙Ｐの端に対応して配置される。すべての用紙に対応させてガイド部材３３２の貫通孔３３５を配置することができない場合は、定型紙など一般に多く流通しているサイズの用紙の端にあわせて貫通孔３３５を配置する。
【００７３】
第１実施形態では、貫通孔３３５が、インクジェットヘッド３４１、３４２、３４３、及び３４４の各々の吐出領域３４５に対向するガイド部材３３２の各部分（各ノズル対向領域）の外側に形成されている。吐出領域３４５は、インクジェットヘッド３４１、３４２、３４３、及び３４４の各々のヘッド面（搬送ベルト３２０側の面）において、ノズル孔が形成されている領域である。斯かる構成によれば、インクジェットヘッド３４１、３４２、３４３、及び３４４の各々の下方に発生する吸引風に起因するインク滴の着弾乱れが抑制される。吸引風は、ガイド部材３３２の溝３３４及び貫通孔３３５、並びに搬送ベルト３２０の吸引孔３２１を介して、空気流通室３３１へ空気が吸引されることによって発生する。
【００７４】
吸引風に起因するインク滴の着弾乱れは、インクジェットヘッド３４１、３４２、３４３、及び３４４の各々の吐出領域３４５に対向するガイド部材３３２の各部分（各ノズル対向領域）の外側に溝３３４が形成されることによって、より好適に抑制される。図６は、ガイド部材３３２の変形例を示す平面図である。図６に示すガイド部材３３２では、溝３３４が、各吐出領域３４５の外側に形成されている。斯かる構成により、吸引風に起因するインク滴の着弾乱れが抑制される。
【００７５】
第１溝３３４ａは、好ましくは、用紙Ｐがガイド部材３３２に突入する領域（用紙搬送方向の上流側の領域）に形成される。用紙搬送方向に直交する方向への用紙Ｐの位置ずれは、用紙Ｐがガイド部材３３２に突入する際に生じ易い。これに対して、用紙Ｐがガイド部材３３２に突入する領域に第１溝３３４ａを形成することで、用紙Ｐを搬送ベルト３２０に確実に吸着させて、用紙搬送方向に直交する方向への用紙Ｐの位置ずれを抑制できる。この結果、用紙Ｐの端の浮きが抑制される。
【００７６】
図７は、ガイド部材３３２の他の変形例を示す平面図である。図７に示すガイド部材３３２では、第１溝３３４ａが、用紙搬送方向の上流側の領域にのみ形成されている。斯かる構成によっても、用紙Ｐを搬送ベルト３２０に確実に吸着させて、用紙搬送方向に直交する方向への用紙Ｐの位置ずれを抑制することができる。したがって、用紙Ｐの端の浮きが抑制される。
【００７７】
続いて、搬送ベルト３２０の変形例について説明する。図８は搬送ベルト３２０の変形例を示す平面図である。図８に示す搬送ベルト３２０は、吸引孔３２１として、第１吸引孔３２１ａ及び第２吸引孔３２１ｂを含む。第１吸引孔３２１ａは、搬送ベルト３２０の両端部（第１端部３２２ａ及び第２端部３２２ｃ）に形成され、第２吸引孔３２１ｂは、搬送ベルト３２０の中央部３２２ｂに形成される。搬送ベルト３２０の第１端部３２２ａ及び第２端部３２２ｃは、用紙Ｐの端が通過する領域であり、ガイド部材３３２の第１端部３３７ａ及び第２端部３３７ｃに対向する。また、搬送ベルト３２０の中央部３２２ｂは、搬送ベルト３２０の第１端部３２２ａ及び第２端部３２２ｃに挟まれた領域であり、ガイド部材３３２の中央部３３７ｂに対向する。
【００７８】
図８に示す搬送ベルト３２０では、第１吸引孔３２１ａの面積が、第２吸引孔３２１ｂの面積よりも大きい。斯かる構成によれば、搬送ベルト３２０が蛇行しても、搬送ベルト３２０の第１端部３２２ａ及び第２端部３２２ｃの吸引孔３２１（第１吸引孔３２１ａ）がガイド部材３３２の溝３３４（第１溝３３４ａ）から外れ難くい。よって、用紙Ｐの端の浮きが抑制される。また、用紙搬送方向に直交する方向に用紙Ｐの位置ずれが発生しても、用紙Ｐの端が、搬送ベルト３２０の第１端部３２２ａ及び第２端部３２２ｃの吸引孔３２１（第１吸引孔３２１ａ）から外れ難くい。よって、用紙Ｐの端の浮きが抑制される。
【００７９】
図９は搬送ベルト３２０の他の変形例を示す一部拡大平面図である。図９に示す搬送ベルト３２０では、搬送ベルト３２０の第１端部３２２ａ及び第２端部３２２ｃに配置される吸引孔３２１（第１吸引孔３２１ａ）の密度が、搬送ベルト３２０の中央部３２２ｂに配置される吸引孔３２１（第２吸引孔３２１ｂ）の密度よりも大きい。
【００８０】
斯かる構成によれば、搬送ベルト３２０が蛇行しても、搬送ベルト３２０の第１端部３２２ａ及び第２端部３２２ｃの吸引孔３２１（第１吸引孔３２１ａ）が、ガイド部材３３２の溝３３４（第１溝３３４ａ）から外れ難い。よって、用紙Ｐの端の浮きが抑制される。また、用紙搬送方向に直交する方向に用紙Ｐの位置ずれが発生しても、用紙Ｐの端が、搬送ベルト３２０の第１端部３２２ａ及び第２端部３２２ｃの吸引孔３２１（第１吸引孔３２１ａ）から外れ難くい。よって、用紙Ｐの端の浮きが抑制される。
【００８１】
（第２実施形態）
次に、本発明の第２実施形態を説明する。図１０は本発明の第２実施形態に係るガイド部材３３２を示す平面図である。第２実施形態は、ガイド部材３３２の構成のみが第１実施形態と異なる。以下、第２実施形態について、第１実施形態と異なる事項を説明し、第１実施形態と重複する事項の説明は割愛する。
【００８２】
第２実施形態では、用紙搬送方向に交差する方向に長い第１溝３３４ａとして、用紙搬送方向に対して傾斜した第１溝３３４ａが、ガイド部材３３２の表面３３３に形成されている。第１実施形態で説明したように、用紙搬送方向に直交する方向に長い溝は、搬送速度ムラを発生させる虞がある。これに対して、第２実施形態では、第１溝３３４ａが、用紙搬送方向に対して傾斜しているため、第１実施形態の第１溝３３４ａと比べて、搬送ベルト３２０と第１溝３３４ａのエッジとの間に、用紙搬送方向の摩擦が発生し難い。したがって、搬送速度ムラを抑制できる。
【００８３】
また、第１溝３３４ａが、用紙搬送方向に対して傾斜している場合であっても、ガイド部材３３２の表面３３３の全面に第１溝３３４ａが配置された場合、搬送速度ムラが発生する虞がある。これに対して、第２実施形態では、ガイド部材３３２の表面３３３に、用紙搬送方向に長い複数の第２溝３３４ｂが含まれるので、搬送速度ムラを抑制できる。
【００８４】
また、第２実施形態によれば、第１実施形態と同様に、搬送ベルト３２０が蛇行しても、搬送ベルト３２０の吸引孔３２１がガイド部材３３２の溝３３４（第１溝３３４ａ）から外れ難くい。よって、用紙Ｐの浮きが抑制される。
【００８５】
また、第２実施形態によれば、用紙搬送方向に直交する方向に用紙Ｐの位置ずれが発生しても、用紙Ｐの端がガイド部材３３２の溝３３４（第１溝３３４ａ）から外れ難くい。よって、用紙Ｐの端の浮きが抑制される。
【００８６】
また、第１実施形態と同様に、搬送ベルト３２０の吸引孔３２１は、好ましくは、その少なくとも一部が用紙Ｐの端に対応して配置される。これにより、用紙Ｐの端の浮きが抑制される。
【００８７】
また、第１実施形態と同様に、ガイド部材３３２の貫通孔３３５は、好ましくは、その少なくとも一部が用紙Ｐの端に対応して配置される。これにより、用紙Ｐの端の浮きが抑制される。
【００８８】
また、第１実施形態と同様に、第２実施形態では、貫通孔３３５が、インクジェットヘッド３４１、３４２、３４３、及び３４４の各々の吐出領域３４５に対向するガイド部材３３２の各部分（各ノズル対向領域）の外側に形成される。斯かる構成によれば、吸引風に起因するインク滴の着弾乱れが抑制される。
【００８９】
また、第１実施形態で説明したように、インクジェットヘッド３４１、３４２、３４３、及び３４４の各々の吐出領域３４５に対向するガイド部材３３２の各部分（各ノズル対向領域）の外側に溝３３４を形成してもよい。斯かる構成により、吸引風に起因するインク滴の着弾乱れが、より好適に抑制される。
【００９０】
また、第１実施形態で説明したように、第１溝３３４ａは、好ましくは、用紙Ｐがガイド部材３３２に突入する領域（用紙搬送方向の上流側の領域）に形成される。斯かる構成により、用紙搬送方向に直交する方向への用紙Ｐの位置ずれを抑制して、用紙Ｐの端の浮きを抑制することができる。
【００９１】
また、第１実施形態で説明したように、第１溝３３４ａは、用紙搬送方向の上流側にのみ形成されてもよい。斯かる構成により、用紙搬送方向に直交する方向への用紙Ｐの位置ずれを抑制して、用紙Ｐの端の浮きを抑制することができる。
【００９２】
また、第１実施形態で説明したように、搬送ベルト３２０の第１端部３２２ａ及び第２端部３２２ｃに形成される吸引孔３２１（第１吸引孔３２１ａ）の面積を、搬送ベルト３２０の中央部３２２ｂに形成される吸引孔３２１（第２吸引孔３２１ｂ）の面積より大きくしてもよい。これにより、用紙Ｐの端の浮きが抑制される。
【００９３】
また、第１実施形態で説明したように、搬送ベルト３２０の第１端部３２２ａ及び第２端部３２２ｃに配置される吸引孔３２１（第１吸引孔３２１ａ）の密度を、搬送ベルト３２０の中央部３２２ｂに配置される吸引孔３２１（第２吸引孔３２１ｂ）の密度より大きくしてもよい。これにより、用紙Ｐの端の浮きが抑制される。
【００９４】
その他にも、上記第１及び第２実施形態で説明された各事項は適宜組み合わせることが可能である。
【００９５】
以上、本発明の具体的な実施形態を説明したが、本発明は上記実施形態に限定されるものではなく、上記実施形態に種々の改変を施すことができる。
【００９６】
例えば、上記実施形態では、貫通孔３３５の断面形状が円形状であったが、貫通孔３３５の断面形状は円形状に限定されるものではない。貫通孔３３５の断面形状は、例えば、矩形状であってもよい。
【００９７】
また、上記実施形態では、ライン型のインクジェットヘッドを備えたインクジェット記録装置に本発明を適用した場合について説明したが、シリアル型のインクジェットヘッドを備えたインクジェット記録装置に本発明を適用することもできる。
【００９８】
また、上記実施形態では、各色に対応して３個のインクジェットヘッドが、用紙搬送方向に直交する方向に沿って千鳥足状に配置されたが、各色に対応するインクジェットヘッドの個数は、特に限定されるものではない。例えば、各色に対応してインクジェットヘッドが単体で設けられてもよい。また、各色に対応する複数個のインクジェットヘッドの配置は千鳥足状の配置に限定されるものではなく、各色に対応する複数個のインクジェットヘッドが、用紙搬送方向に直交する方向に沿って一列に配置されてもよい。
【００９９】
また、上記実施形態では、フルカラーで画像を形成可能なインクジェット記録装置に本発明を適用した場合について説明したが、本発明は、モノクロで画像を形成するインクジェット記録装置にも適用可能である。
【０１００】
また、上記実施形態では、本発明をインクジェット記録装置に適用した場合について説明したが、本発明は他の画像形成装置（例えば、電子写真方式の画像形成装置）にも適用可能である。
【０１０１】
また、上記実施形態では、被記録媒体が用紙である場合について説明したが、被記録媒体は用紙以外（例えば、樹脂製シートや布帛）であってもよい。
【０１０２】
その他にも、本発明の要旨を逸脱しない範囲で上記実施形態に種々の改変を施すことができる。
【符号の説明】
【０１０３】
１        インクジェット記録装置
３１０    搬送装置
３２０    搬送ベルト
３２１    吸引孔
３２１ａ  第１吸引孔
３２１ｂ  第２吸引孔
３２２ａ  搬送ベルトの第１端部
３２２ｂ  搬送ベルトの中央部
３２２ｃ  搬送ベルトの第２端部
３３０    吸引部
３３１    空気流通室
３３２    ガイド部材
３３３    ガイド部材の表面
３３４    溝
３３４ａ  第１溝
３３４ｂ  第２溝
３３５    貫通孔
３３５ａ  第１貫通孔
３３５ｂ  第２貫通孔
３３７ａ  ガイド部材の第１端部
３３７ｂ  ガイド部材の中央部
３３７ｃ  ガイド部材の第２端部
３４０ａ、３４１  ブラック（Ｂｋ）用のインクジェットヘッド
３４０ｂ、３４２  シアン（Ｃ）用のインクジェットヘッド
３４０ｃ、３４３  マゼンタ（Ｍ）用のインクジェットヘッド
３４０ｄ、３４４  イエロー（Ｙ）用のインクジェットヘッド
３４５    吐出領域
【図１】
0005980832.tif 000002
【図２】
0005980832.tif 000003
【図３】
0005980832.tif 000004
【図４】
0005980832.tif 000005
【図５】
0005980832.tif 000006
【図６】
0005980832.tif 000007
【図７】
0005980832.tif 000008
【図８】
0005980832.tif 000009
【図９】
0005980832.tif 000010
【図１０】
0005980832.tif 000011